(57)【要約】【課題】電子部品を部品ピックアップ位置まで間欠送りするための駆動源として駆動モータを使用する部品供給装置において、収納テープを本供給装置にセットする外段取りを低コストで迅速かつ容易に行うこと。【解決手段】テープ送り機構２２の回転軸３５の他端部には係合部として断面形状が六角形の係合溝３５Ａを形成し、概ねＬ字形状を呈すると共に少なくとも先端の断面形状が六角形の操作ハンドル８０の先端を前記係合溝３５Ａに嵌合させ、前記回転軸３５を回転させる。従って、作業者が操作ハンドル８０を回転させると、回転軸３５が回転し、ウォーム歯車３６及びウォームホィール３７を介してスプロケット３８が回転し、送り孔Ｃｂを介して収納テープＣを送ることができる。このため、部品供給ユニット６に収納テープＣをセットする際に、収納テープＣ内の先頭の電子部品Ａを開口２７Ａに位置させることができる。【選択図】　図１０
2004119680.tif 000002
【特許請求の範囲】
【請求項１】
電子部品を収納部に搭載した収納テープを部品ピックアップ位置まで間欠送りする電子部品供給装置において、その出力軸に歯車を設けた駆動モータと、前記歯車と噛み合う歯車を一端部に備えて支持体に回転可能に支持された回転軸と、該回転軸の中間部に設けられたウォーム歯車と噛み合うウォームホィールを備えると共に前記収納テープに形成した送り孔に噛み合ってこれを送るスプロケットとから構成されたことを特徴とする電子部品供給装置。
【請求項２】
前記回転軸を回転させるための操作ハンドルと係合する係合部を前記回転軸の他端部に形成したことを特徴とする請求項１に記載の電子部品供給装置。
【請求項３】
前記出力軸を回転させるための操作ハンドルと係合する係合部を前記出力軸に形成したことを特徴とする請求項１に記載の電子部品供給装置。
【発明の詳細な説明】
【０００１】
【発明の属する技術分野】
本発明は、電子部品を収納部に搭載した収納テープを部品ピックアップ位置まで間欠送りする電子部品供給装置に関する。
【０００２】
【従来の技術】
従来、この種の電子部品供給装置にあっては、収納テープを本供給装置にセットする外段取りを低コストで迅速かつ容易に行うため、収納テープを間欠送りする搬送機構をテープ位置手動用取手によって手動で動作可能とする技術が、特開平１３−１３５９８３号公報（特許文献）において提案されている。
【０００３】
【特許文献】
特開平１３−１３５９８３号公報
【０００４】
【発明が解決しようとする課題】
しかしながら、搬送機構がエアシリンダの作動に伴って、リンク機構を介して送りホィールを回転させることにより収納テープを間欠搬送するものであるから、リンク機構のホィールレバーにテープ位置手動用取手を形成して外段取りを可能としているが、駆動源としてエアシリンダに代えて駆動モータを使用する昨今の電子部品供給装置にあっては、上述せる従来技術を適用することはできない。
【０００５】
そこで本発明は、電子部品を部品ピックアップ位置まで間欠送りするための駆動源として駆動モータを使用する部品供給装置において、収納テープを本供給装置にセットする外段取りを低コストで迅速かつ容易に行うことを目的とする。
【０００６】
【課題を解決するための手段】
このため第１の発明は、電子部品を収納部に搭載した収納テープを部品ピックアップ位置まで間欠送りする電子部品供給装置において、その出力軸に歯車を設けた駆動モータと、前記歯車と噛み合う歯車を一端部に備えて支持体に回転可能に支持された回転軸と、該回転軸の中間部に設けられたウォーム歯車と噛み合うウォームホィールを備えると共に前記収納テープに形成した送り孔に噛み合ってこれを送るスプロケットとから構成されたことを特徴とする。
【０００７】
また第２の発明は、第１の発明において、前記回転軸を回転させるための操作ハンドルと係合する係合部を前記回転軸の他端部に形成したことを特徴とする。
【０００８】
第３の発明は、第１の発明において、前記出力軸を回転させるための操作ハンドルと係合する係合部を前記出力軸に形成したことを特徴とする。
【０００９】
【発明の実施の形態】
以下、添付図面を参照して、本発明の一実施形態に係る電子部品供給装置を適用した電子部品装着装置について説明する。この電子部品装着装置は、いわゆる多機能チップマウンタであり、各種電子部品Ａをプリント基板Ｐに実装できる。
【００１０】
図１は電子部品装着装置の平面図であり、電子部品装着装置１は、機台２と、この機台２の中央部に左右方向に延在するコンベア部３と、機台２の前部（図示の下側）および後部（図示の上側）にそれぞれ配設した２組の部品装着部４、４および２組の部品供給部５、５とを備えている。そして、部品供給部５には、電子部品供給装置である複数本の部品供給ユニット６が着脱自在に組み込まれている。
【００１１】
前記コンベア部３は、中央のセットテーブル８と、左側の供給コンベア９と、右側の排出コンベア１０とを有している。プリント基板Ｐは、供給コンベア９からセットテーブル８に供給され、セットテーブル８で電子部品の装着を受けるべく不動に且つ所定の高さにセットされる。そして、電子部品の装着が完了した基板Ｐは、セットテーブル８から排出コンベア１０を介して下流側装置に排出される。
【００１２】
各部品装着部４には、ヘッドユニット１３を移動自在に搭載したＸＹステージ１２が配設されると共に、部品認識カメラ１４およびノズルストッカ１５が配設されている。ヘッドユニット１３には、電子部品を吸着および装着するための２の装着ヘッド１６、１６と、基板Ｐを認識するための１台の基板認識カメラ１７とが搭載されている。なお、通常、両部品装着部４、４のＸＹステージ１２、１２は交互運転となる。
【００１３】
前記各ＸＹステージ１２はＹ軸モータによりビームがＹ方向に移動し、Ｘ軸モータにより前記ヘッドユニット１３がＸ方向に移動し、結果としてヘッドユニット１３はＸＹ方向に移動することとなる。
【００１４】
各部品供給部５は、ユニットベース１９上に多数の部品供給ユニット６を、横並びに且つ着脱自在に備えている。各部品供給ユニット６には、多数の電子部品を一定の間隔で収容した後述する収納テープＣが搭載されており、収納テープＣを間欠送りすることで、部品供給ユニット６の先端から部品装着部４に電子部品が１個ずつ供給される。なお、この電子部品装着装置１では、表面実装部品などの比較的小さな電子部品は、主として部品供給ユニット６から供給され、比較的大きな電子部品は、主として図示しないトレイ形式の部品供給装置から供給される。
【００１５】
この電子部品装着装置１の記憶部に格納されたＮＣデータに基づく運転は、先ずＸＹステージ１２を駆動しヘッドユニット１３を部品供給ユニット６に臨ませた後、装着ヘッド１６を下降させてその吸着ノズル１８により所望の電子部品をピックアップする。続いて装着ヘッド１６を上昇させてから、ＸＹステージ１２を駆動して電子部品を部品認識カメラ１４の直上部まで移動させ、その吸着姿勢及び吸着ノズル１８に対する位置ずれを認識する。次に、装着ヘッド１６をセットテーブル８上の基板Ｐの位置まで移動させ、基板認識カメラ１７で基板Ｐの位置を認識した後、前記部品認識カメラ１４及び基板認識カメラ１７による認識結果に基づき前記ＸＹステージ１２のＸ軸モータ、Ｙ軸モータ及び吸着ノズル１８のθ軸モータを補正移動させて電子部品Ａを基板Ｐに装着する。
【００１６】
なお、実施形態のＸＹステージ１２には、２つの装着ヘッド（吸着ノズル１８）１６、１６が搭載されており、２個の電子部品を連続して吸着し、これを基板Ｐに連続して装着することも可能である。また、図示しないが、複数の吸着ノズルを有する装着ヘッドが搭載されている場合には、複数個の電子部品を連続して吸着し且つ装着することも可能である。
【００１７】
次に図２及び図３に基づき、部品供給ユニット６について説明する。部品供給ユニット６は、例えば４ｍｍピッチ、８ｍｍピッチ、１２ｍｍピッチ、１６ｍｍピッチの４種類の収納テープＣを取り扱うことができるものである。この部品供給ユニット６はユニットフレーム２１と、このユニットフレーム２１に回転自在に装着した図外の収納テープリールと、収納テープリールに巻回した状態で順次繰り出された収納テープＣを電子部品Ａのピックアップ位置（吸着取出位置）まで間欠送りするテープ送り機構２２と、ピックアップ位置の手前で収納テープＣのカバーテープＣａを引き剥がすカバーテープ剥離機構２３と、ピックアップ位置に送り込まれた電子部品Ａの上方を開放して電子部品Ａのピックアップを可能にするシャッタ機構２４とから構成される。
【００１８】
前記収納テープリールから繰り出された収納テープＣは、ピックアップ位置の手前のテープ経路に配設したサプレッサ２７（図８及び図９参照）の下側を潜るようにして、ピックアップ位置に送り込まれる。このサプレッサ２７にはピックアップ用の開口２７Ａが開設されており、この部分に後述するシャッタ機構２４のシャッタ７７が組み込まれている。また、シャッタ７７の手前に位置してサプレッサ２７にはスリット２８が形成されており、このスリット２８から収納テープＣのカバーテープＣａが引き剥がされ、後述するカバーテープ剥離機構２３の収納部６５内に収納される。すなわち、収納テープＣに搭載した電子部品Ａは、カバーテープＣａを引き剥がされた状態で、ピックアップ用の開口２７Ａを開閉するシャッタ７７に臨む。
【００１９】
図３に示すように、前記テープ送り機構２２は、その出力軸に歯車３１を設けた駆動モータ３２と、該歯車３１と噛み合う歯車３３を一端部に備えて両支持体３４に回転可能に支持された回転軸３５と、該回転軸３５の中間部に設けられたウォーム歯車３６と噛み合うウォームホィール３７を備えると共に収納テープＣに形成した送り孔Ｃｂに噛み合ってこれを送るスプロケット３８とから構成される。従って、前記駆動モータ３２が駆動すると、歯車３１及び歯車３３を介して回転軸３５が回転し、ウォーム歯車３６及びウォームホィール３７を介してスプロケット３８が所定角度間欠回転することにより、送り孔Ｃｂを介して収納テープＣを間欠送りする。
【００２０】
図３乃至図５に示すように、前記カバーテープ剥離機構２３は、その出力軸にウォーム歯車４１を設けた駆動モータ４２と、周囲に歯車４５及び前記歯車４１と噛み合う歯車４３を備えてユニットフレーム２１に固定された支持体４４に支軸４６Ａを介して回転可能に支持された第１の回転体４６と、周囲に当接部５１及び前記歯車４５と噛み合う歯車４７を備えてユニットフレーム２１に取付体４８を介して固定された支持体４９に支軸５０Ａを介して回転可能に支持された第２の回転体５０と、周囲に前記当接部５１とバネ５５により付勢されて当接する当接部５２を備えてユニットフレーム２１に支軸５３を介して揺動可能である取付体５４に支軸５６Ａを介して回転可能に支持された第３の回転体５６と、カバーテープＣａを案内するローラ５７と、ユニットフレーム２１に支軸５８を介して揺動可能である取付体５９の端部に前記ローラ５７により案内されたカバーテープＣａを案内するローラ６０を備える共にバネ６１により付勢されてカバーテープＣａにテンションを加えるためのテンション印加体６２とから構成される。尚、６３は前記取付体５９の揺動を制限するストッパである。
【００２１】
従って、カバーテープＣａを剥離する際には、前記駆動モータ４２が駆動すると、歯車４１及び歯車４３を介して第１の回転体４６が回転し、この第１の回転体４６が回転すると歯車４５及び歯車４７を介して第２の回転体５０が回転し、この第２の回転体５０が回転するとバネ５５により付勢された当接部５２及び当接部５１とがカバーテープＣａを挟んだ状態で第３の回転体５６が回転し、サプレッサ２７のスリット２８から収納テープＣのカバーテープＣａが１ピッチ分引き剥がされながら、弛みを生ずることなく、当該部品供給ユニット６の端部に設けられた収納部６５内に収納される。
【００２２】
図６及び図７に示すように、前記シャッタ機構２４は、支持体７０に端部が支持された出力軸をネジ軸とした駆動モータ７１と、前記ネジ軸に螺合したナット体７２に固定された作動体７３と、該作動体７３に突設されたピン７４が嵌合する溝７５が折曲片７７Ａに開設されると共にサプレッサ２７に開設されたガイド溝２７Ｂに嵌合する嵌合片７６が形成されてサプレッサ２７上を摺動可能に設けられたシャッタ７７とから構成される。従って、シャッタ７７の移動によるピックアップ用の開口２７Ａの開閉の際には、前記駆動モータ７１が駆動すると、ネジ軸に螺合したナット体７２及び作動体７３が移動し、嵌合片７６がガイド溝２７Ｂに沿って移動することによりシャッタ７７が開口２７Ａの開閉のため移動する。
【００２３】
シャッタ７７は、閉塞位置に移動した状態（図８参照）で、ピックアップ位置に送り込まれた電子部品ＡをカバーテープＣａが剥離された収納テープＣの収納部Ｄから飛び出さないように開口２７Ａを閉塞し、開放位置に移動した状態（図９参照）で、吸着ノズル１８によるピックアップが可能となるように電子部品Ａの上方から後退する。
【００２４】
尚、前記収納部Ｄは、電子部品を収納するのに少し余裕をもって大きめに形成されている。６６は電源ラインであり、前記駆動モータ３２、４２、７１などに電源を供給するためのものである。
【００２５】
次に、収納テープＣの送り、カバーテープＣａの剥離およびシャッタ７７の開閉の相互のタイミングについて説明する。テープ送り機構２２により収納テープＣを１回間欠送りすると、これと同期してカバーテープ剥離機構２３がカバーテープＣａを１回の間欠送り分の剥離（引き剥がし）をする。続いてテープ送り機構２２およびカバーテープ剥離機構２３が停止すると、シャッタ機構２４が開放動作し、ピックアップ位置に送り込まれた電子部品Ａに対しシャッタ７７を開放する。
【００２６】
そして、シャッタ７７が開放動作すると、装着ヘッド１６による電子部品Ａのピックアップが行われ、続いてシャッタ７７が閉塞するが、このとき同時に次の収納テープＣの間欠送りとカバーテープＣａの剥離とが行われる。
【００２７】
ここで、前述したように、前記部品供給ユニット６は、４ｍｍ（ミリメートル）ピッチ、８ｍｍピッチ、１２ｍｍピッチ、１６ｍｍピッチの４種類の収納テープＣを取り扱うことができる。このため、サプレッサ２７のピックアップ用の開口２７Ａは１６ｍｍピッチのテープに収納される電子部品Ａに合わせた大きさに開設されている。従って、４ｍｍピッチのテープに収納される小さな電子部品にあっては収納テープＣの送り方向と直交する方向における開口部中央付近において上下に暴れ、電子部品の挙動に悪影響を及ぼす。このため、図８及び図９に示すように、小さな電子部品を扱う場合には、従来、吸着ノズル１８による電子部品のピックアップ位置は前記開口２７Ａの中央部であったが、収納テープＣ内の先頭の電子部品の送り停止位置及び吸着ノズル１８のピックアップ位置を前記開口２７Ａの上流側位置にすることにより、電子部品を安定して送ることができ、上下に暴れることによる電子部品の挙動に悪影響を及ぼすことが無くなる。
【００２８】
ここで、電子部品装着装置１に設置された前記部品供給ユニット６に電子部品切れが生じる場合に備えて、本装着装置１外で部品供給ユニット６に収納テープＣをセットする外段取りをして準備しておく必要がある。この場合、本供給ユニット６を電源に接続することなく、外段取りをすべく、以下のような構成とする。
【００２９】
即ち、図１０に示すように、前記回転軸３５の他端部には係合部として断面形状が六角形の係合溝３５Ａを形成し、ユニットフレーム２１の前壁２１Ａには操作ハンドル８０の挿入孔２１ａを係合溝３５Ａと対向した位置に形成し、概ねＬ字形状を呈すると共に少なくとも先端の断面形状が六角形の操作ハンドル８０の先端を前記挿入孔２１ａを介して前記係合溝３５Ａに嵌合させ、前記回転軸３５を回転させる。
【００３０】
従って、作業者が前記操作ハンドル８０を回転させると、回転軸３５が回転し、ウォーム歯車３６及びウォームホィール３７を介してスプロケット３８が回転し、送り孔Ｃｂを介して収納テープＣを送ることができる。このため、部品供給ユニット６に収納テープＣをセットする際に、収納テープＣ内の先頭の電子部品Ａを前記開口２７Ａ内における吸着ノズル１８のピックアップ位置に位置させることができ、外段取りを電源がない場所においても行うことができ、また低コストで迅速かつ容易に行うことができる。
【００３１】
次に、図１１に示すように、前記駆動モータ３２の出力軸３２Ａに係合部として断面形状が六角形の係合溝３２Ｂを形成し、また両支持体３４には前記係合溝３２Ｂに対向する位置に夫々貫通孔３４Ａを開設し、ユニットフレーム２１の前壁２１Ａには貫通孔３４Ａに対向する位置に操作ハンドル８１の挿入孔２１ａを形成する。概ねＬ字形状を呈すると共に少なくとも先端の断面形状が六角形の操作ハンドル８１の先端を挿入孔２１ａ及び操作ハンドル８１の案内部としても作用する前記各貫通孔３４Ａを介して前記係合溝３２Ｂに嵌合させ、前記出力軸３２Ａを回転させる。
【００３２】
従って、作業者が前記操作ハンドル８１を回転させると、出力軸３２Ａが回転することにより歯車３１及び歯車３３を介して回転軸３５が回転し、ウォーム歯車３６及びウォームホィール３７を介してスプロケット３８が回転し、送り孔Ｃｂを介して収納テープＣを送ることができる。このため、部品供給ユニット６に収納テープＣをセットする際に、収納テープＣ内の先頭の電子部品Ａを前記開口２７Ａ内の吸着ノズル１８のピックアップ位置に位置させることができ、外段取りを低コストで迅速かつ容易に行うことができる。
【００３３】
尚、吸着ノズル１８のピックアップ位置は、前記開口２７Ａの上流側位置である必要はなく、開口２７Ａの中央でもよい。
【００３４】
また、前記シャッタ機構２４のシャッタ７７の移動ストロークは、扱う収納テープＣの種類に合わせて変更しないが、変更してもよく、またこの電子部品装着装置として、いわゆる多機能チップマウンタを例にして説明したが、これに限らずロータリテーブル型の高速型チップマウンタに適用してもよい。
【００３５】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【００３６】
【発明の効果】
以上のように本発明によれば、電子部品を部品ピックアップ位置まで間欠送りするための駆動源として駆動モータを使用する部品供給装置において、収納テープを本供給装置にセットする外段取りを低コストで迅速かつ容易に行うことができる。
【図面の簡単な説明】
【図１】電子部品装着装置の平面図である。
【図２】部品供給ユニットの側面図である。
【図３】部品供給ユニットの一部切除せる側面図である。
【図４】カバーテープ剥離機構の拡大図である。
【図５】図４のＸ−Ｘ断面図である。
【図６】シャッタが閉じた状態のシャッタ機構の側面図である。
【図７】シャッタが開いた状態のシャッタ機構の側面図である。
【図８】シャッタが閉じた状態の部品供給ユニットの要部平面図である。
【図９】シャッタが開いた状態の部品供給ユニットの要部平面図である。
【図１０】部品供給ユニットの収納テープの外段取りの動作を示す図である。
【図１１】部品供給ユニットの収納テープの他の外段取りの動作を示す図である。
【符号の説明】
１　　　　電子部品装着装置
５　　　　部品供給部
６　　　　部品供給ユニット
１６　　　　装着ヘッド
１８　　　　吸着ノズル
２２　　　　テープ送り機構
２７Ａ　　　開口
３１、３３　歯車
３２　　　　駆動モータ
３２Ａ　　　出力軸
３２Ｂ　　　係合溝
３４　　　　支持体
３５　　　　回転軸
３５Ａ　　　係合溝
３６　　　　ウォーム歯車
３７　　　　ウォームホィール
３８　　　　スプロケット
４２　　　　駆動モータ
７１　　　　駆動モータ
７７　　　　シャッタ
８０、８１　操作ハンドル
Ａ　　　電子部品
Ｃ　　　収納テープ
Ｃａ　　カバーテープ
Ｄ　　　収納部
【図１】
2004119680.tif 000003
【図２】
2004119680.tif 000004
【図３】
2004119680.tif 000005
【図４】
2004119680.tif 000006
【図５】
2004119680.tif 000007
【図６】
2004119680.tif 000008
【図７】
2004119680.tif 000009
【図８】
2004119680.tif 000010
【図９】
2004119680.tif 000011
【図１０】
2004119680.tif 000012
【図１１】
2004119680.tif 000013